【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを受信するために前記第１のワイヤレストランシーバを利用するように構成された第１の構成要素と、
前記第１のデータの媒体アクセスタイミングに基づいて、第２のデータの１つまたは複数のデータフレームを複数のフラグメント化されたフレームに動的にフラグメント化するように構成された第２の構成要素と、
前記第１のデータと前記第２のデータとの間の衝突を回避しながら、前記第１のデータのフレーム間に前記第２のデータの前記フラグメント化されたフレームを送信するために前記第２のワイヤレストランシーバを利用するように構成された第３の構成要素と、
前記フラグメント化されたフレームの各々が前記第１のデータの前記フレーム間の間隔に収まるように前記第２のデータを送信するためのチャネル条件に基づいて、前記フラグメント化されたフレームのデータレートまたは変調を動的に変化させるように構成された第４の構成要素と、を備える装置。
【請求項２】
前記第１のデータは前記第２のデータよりも高い優先度を有する、請求項１に記載の装置。
【請求項３】
前記第１のプロトコルはピコネットプロトコルを備え、前記第２のプロトコルはワイヤレスローカルエリアネットワークプロトコルを備える、請求項１に記載の装置。
【請求項４】
前記少なくとも１つのプロセッサは、前記第１のデータを受信している間、媒体アクセス制御レイヤプロトコルデータユニットを送信することを回避するために、前記第２のトランシーバを制御するように構成された第４の構成要素をさらに備える、請求項１に記載の装置。
【請求項５】
前記少なくとも１つのプロセッサは、前記第２のデータを送信するためのチャネル条件に基づいて、前記フラグメント化されたフレームのＰＨＹレイヤコンバージェンスプロシージャ（ＰＬＣＰ）プロトコルデータユニットのサイズを動的に変更するように構成された第４の構成要素をさらに備える、請求項１に記載の装置。
【請求項６】
ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを送信するために前記第１のワイヤレストランシーバを利用するように構成された第１の構成要素と、
前記第１のデータの媒体アクセスタイミングに基づいて、第２のデータの１つまたは複数のデータフレームを複数のフラグメント化されたフレームに動的にフラグメント化するために、フラグメンテーション要求をアクセスポイントに送るのに前記第２のワイヤレストランシーバを利用するように構成された第２の構成要素と、
前記第１のデータと前記第２のデータとの間の衝突を回避しながら、前記第１のデータのフレーム間に前記第２のデータの前記フラグメント化されたフレームを受信するために前記第２のワイヤレストランシーバを利用するように構成された第３の構成要素とを備え、前記少なくとも１つのプロセッサは、
前記受信された第２のデータの信号対干渉比を測定し、
前記受信された第２のデータの前記測定された信号対干渉比に基づいて、前記第１のデータの前記送信を調整するように構成された第４の構成要素をさらに備え、前記第４の構成要素は、
前記第１のデータの送信電力を低減すること、または、
前記第１のデータによって前記第２のデータに課せられる干渉を緩和するために能動的干渉消去を実施することの少なくとも一方を行うようにさらに構成される装置。
【請求項７】
前記第１のデータは前記第２のデータよりも高い優先度を有する、請求項６に記載の装置。
【請求項８】
前記第１のプロトコルはピコネットプロトコルを備え、前記第２のプロトコルはワイヤレスローカルエリアネットワークプロトコルを備える、請求項７に記載の装置。
【請求項９】
前記フラグメンテーション要求は、フラグメンテーションしきい値を調整するために前記アクセスポイントをトリガするように構成される、請求項６に記載の装置。
【請求項１０】
前記フラグメンテーション要求は、前記第１のデータの前記送信の間に、前記フラグメント化された第２のデータの送信を回避することを前記アクセスポイントに要求するように構成される、請求項６に記載の装置。
【請求項１１】
前記フラグメンテーション要求を送るために、前記第２の構成要素は、送信要求（ＲＴＳ）フレームが前記アクセスポイントから受信されたことに応答して、前記フラグメンテーション要求を含んだ送信可（ＣＴＳ）フレームを送るように構成された第５の構成要素を備える、請求項６に記載の装置。
【請求項１２】
前記少なくとも１つのプロセッサは、前記第２のデータの前記フラグメンテーションに基づいて、前記第１のデータの前記送信を調整するように構成された第６の構成要素をさらに備える、請求項６に記載の装置。
【請求項１３】
前記フラグメンテーション要求は、前記第１のデータの前記送信の間に、媒体アクセス制御レイヤプロトコルデータユニット（ＭＰＤＵ）の送信を回避することを前記アクセスポイントに要求するように構成される、請求項６に記載の装置。
【請求項１４】
ワイヤレス通信のための装置であって、
少なくとも１つのプロセッサと、
第１の通信プロトコルに対応する、前記少なくとも１つのプロセッサに結合された第１のワイヤレストランシーバと、
第２の通信プロトコルに対応する、前記少なくとも１つのプロセッサに結合された第２のワイヤレストランシーバと、
前記少なくとも１つのプロセッサに結合されたメモリとを備え、
前記少なくとも１つのプロセッサは、
第１のデータを送信するために前記第１のワイヤレストランシーバを利用するように構成された第１の構成要素と、
前記第１のデータの媒体アクセスタイミングをアクセスポイントに伝えるために前記第２のワイヤレストランシーバを利用するように構成された第２の構成要素と、
前記第２のワイヤレストランシーバをスリープモードに設定するように構成された第３の構成要素と、
前記第１のワイヤレストランシーバが前記媒体アクセスタイミングに基づいてデータを送信していないとき、第２のデータを前記アクセスポイントから受信するために前記第２のワイヤレストランシーバをウェイクアップさせるように構成された第４の構成要素と、ここにおいて、前記第２のワイヤレストランシーバが前記スリープモードにあったとき、前記受信された第２のデータは前記アクセスポイントでキューされたものである、を備える装置。
【請求項１５】
前記少なくとも１つのプロセッサは、
前記受信された第２のデータの信号対干渉比を測定し、
前記受信された第２のデータの前記測定された信号対干渉比に基づいて、前記第１のデータの前記送信を調整するように構成された第５の構成要素をさらに備え、前記第５の構成要素は、
前記第１のデータの送信電力を低減すること、または、
前記第１のデータによって前記第２のデータに課せられる干渉を緩和するために能動的干渉消去を実施することの少なくとも一方を行うようにさらに構成される、請求項１４に記載の装置。